(57)【特許請求の範囲】
【請求項１】
２本のセパレータを所定の間隔をおいて平行に挿通するための挿通孔を有する筒状本体と、前記挿通孔内の中央に位置するよう回転可能に筒状本体に軸支され、挿通孔の両側壁に沿って挿通された前記各セパレータに接触可能な大半径部分と接触不能な小半径部分を連続するよう形成した外周を有し、前記大半径部分は、セパレータの挿入時には挿入動作を阻害しない一方、セパレータの引き抜き時には挿通孔の側壁にセパレータを押圧して引き抜き動作を阻止し得るよう形成したコマ体とから構成した建築用セパレータの固定金具。
【請求項２】
２本のセパレータを所定の間隔をおいて平行に挿通するための挿通孔を有する筒状本体と、前記挿通孔内の中央に位置するよう回転可能に筒状本体に軸支され、挿通孔の両側壁に沿って挿通された前記各セパレータに接触可能な大半径部分と接触不能な小半径部分を連続するよう形成した外周を有し、前記大半径部分は、セパレータの挿入時には挿入動作を阻害しない一方、セパレータの引き抜き時には挿通孔の側壁にセパレータを押圧して引き抜き動作を阻止し得るよう形成するとともに、少なくとも前記各大半径部分の外周に凹凸部を形成したコマ体と、このコマ体の大半径部分が、挿通孔の側壁と対向する初期位置に復帰するように設けた付勢部材とから構成した建築用セパレータの固定金具。
【請求項３】
付勢部材を、コマ体の軸の両端が筒状本体外へそれぞれ突出し、一方の前記軸端に一端を巻き付け、他端を筒状本体に固定した線状バネで構成する一方、前記コマ体の前記軸端とは反対側端を、コマ体を回転させるための摘み部となしたことを特徴とする請求項２記載の建築用セパレータの固定金具。
【発明の詳細な説明】
【０００１】
【発明の属する技術分野】
本発明は、コンクリート型枠間に配置される一対の建築用セパレータどうしを平行に伸びるように固定するための固定金具に関する。
【０００２】
【従来の技術】
従来、一対のセパレータどうしを平行に伸びるように固定するための固定金具には、図８（斜視図）及び図９（使用状態図）に示すものがある。この固定金具１０１は、円筒体からなる金具本体１０２と、この金具本体１０２の両端（図面では上下端）に螺合する固定ねじ１０３ａ，１０３ｂとからなる。前記金具本体１０２には、それぞれ両端にねじ部を形成した２本のセパレータ１０４，１０５を平行に挿通するための挿通孔１０６ａ，１０６ａ及び挿通孔１０６ｂ，１０６ｂを軸方向に間隔をおいて径方向に各連通するように設けてある。
【０００３】
前記建築用セパレータの固定金具１０１は、例えば図９に示したように、コンクリート建造物のドアや窓枠等の開口部を設けるべく、壁面を形成するための一対の対向するコンクリート型枠１０７ａ，１０７ｂを支持するよう、該コンクリート型枠１０７ａ，１０７ｂ間に配置するものである。この配置作業にあっては、各セパレータ１０４，１０５の各一端部のねじ部１０４ａ，１０５ａを挿通孔１０６ａ，１０６ａ及び挿通孔１０６ｂ，１０６ｂに挿入する一方、Ｐコン１０８ａ，１０８ｂの雌ねじ部に螺合して取り付けた各セパレータ１０４，１０５のねじ部１０４ｂ，１０５ｂが形成された各他端部を、前記コンクリート型枠１０７ａ，１０７ｂに当接した後、前記固定ねじ１０３ａ、１０３ｂで前記各セパレータ１０４，１０５のねじ部１０４ａ，１０５ａを締め付けて固定するというものであった。
【０００４】
【発明が解決しようとする課題】
上記従来の建築用セパレータの固定金具１０１は、前記コンクリート型枠１０７ａ，１０７ｂ間への配置作業において、両セパレータ１０４，１０５の各他端をコンクリート型枠１０７ａ，１０７ｂに押し付けながら固定ねじ１０３ａ、１０３ｂを締め付ける動作がしづらい場合があった。本発明の目的はこの不都合を解決するところにある。
【０００５】
【課題を解決するための手段】
上記目的を達成するために、本発明の請求項１に記載された建築用セパレータの固定金具は、２本のセパレータを所定の間隔をおいて平行に挿通するための挿通孔を有する筒状本体と、前記挿通孔内の中央に位置するよう回転可能に筒状本体に軸支され、挿通孔の両側壁に沿って挿通された前記各セパレータに接触可能な大半径部分と接触不能な小半径部分を連続するよう形成した外周を有し、前記大半径部分は、セパレータの挿入時には挿入動作を阻害しない一方、セパレータの引き抜き時には挿通孔の側壁にセパレータを押圧して引き抜き動作を阻止し得るよう形成したコマ体とから構成したものである。
【０００６】
また、本発明の請求項２に記載された建築用セパレータの固定金具は、２本のセパレータを所定の間隔をおいて平行に挿通するための挿通孔を有する筒状本体と、前記挿通孔内の中央に位置するよう回転可能に筒状本体に軸支され、挿通孔の両側壁に沿って挿通された前記各セパレータに接触可能な大半径部分と接触不能な小半径部分を連続するよう形成した外周を有し、前記大半径部分は、セパレータの挿入時には挿入動作を阻害しない一方、セパレータの引き抜き時には挿通孔の側壁にセパレータを押圧して引き抜き動作を阻止し得るよう形成するとともに、少なくとも前記各大半径部分の外周に凹凸部を形成したコマ体と、このコマ体の大半径部分が、挿通孔の側壁と対向する初期位置に復帰するように設けた付勢部材とから構成したものである。
【０００７】
さらに、本発明の請求項３に記載された建築用セパレータの固定金具は、請求項２に記載の固定金具の構成に加えて、付勢部材を、コマ体の軸の両端が筒状本体外へそれぞれ突出し、一方の前記軸端に一端を巻き付け、他端を筒状本体に固定した線状バネで構成する一方、前記コマ体の前記軸端とは反対側端を、コマ体を回転させるための摘み部となしたものである。
【０００８】
【発明の実施の形態】
以下に、本発明の好適な実施の形態を添付図面の図１〜図４に基づいて詳細に説明する。ここにおいて、図１は斜視図、図２は使用状態図、図３はセパレータでコンクリート型枠を支持する状態における固定金具とセパレータとの位置状態を示す横断平面図、図４は図３のＡ−Ａ線断面図である。
【０００９】
図１〜図４に示したように、固定金具１は、２本のセパレータ２，３を所定の間隔をおくようその両側壁に沿って平行に挿通するための扁平な挿通孔４を有する筒状本体５と、前記各セパレータ２，３間に位置するよう前記挿通孔４内の中央の前記筒状本体５に回転可能に軸支された回転軸６を有し、挿通孔４の両側に沿って挿通された各セパレータ２，３に接触可能な大半径部分７ａ，７ａと、同じく接触不能な小半径部分７ｂ，７ｂを連続するよう形成した外周を有するコマ体７とから構成するものである。前記回転軸６の上端部分６ａは、上方に突出されるとともに、横方向に透孔６ｂが設けてある。また、回転軸６の下端部分は、筒状本体５の外部に突出し横方向に伸ばした後さらに、下方に突出した摘み部６ｃを形成してある。
【００１０】
また図１，図２及び図４に明示したように、前記固定金具１には、コマ体７の大半径部分７ａ，７ａが前記挿通孔４の両側壁に対する初期位置に復帰すよう回転付勢（図３において時計回りに付勢）する付勢部材たる線条バネ８を前記回転軸６に設けている。この線条バネ８は、その先端を透孔６ｂに挿入した後、回転軸６の上端部分６ａに巻き付け、その他端を筒状本体５の外面に設けた固定穴９に固定してある。そして、前記回転軸６の前記摘み部６ｃを摘み、前記線条バネ８の付勢力に抗してコマ体７を図３において半時計回りに回転させることが可能である。
【００１１】
図１及び図４に明示したように、前記筒状本体５の挿通孔４は、その厚み方向の間隔をセパレータ２，３の直径とほぼ同じか若干広く、また幅方向の長さを、筒状本体５の両側壁に沿った部位にセパレータ２，３を挿通したとき所定の間隔が空くように、いわゆる扁平に形成してある。
【００１２】
図２〜図４に明示したように、前記コマ体７は、挿通孔４の両側壁に沿って挿通された各セパレータ２，３間に位置するように設けるもので、その外周には、前記大半径部分７ａ、７ａと小半径部分７ｂ，７ｂを連続するよう設け、この大半径部分７ａ、７ａから小半径部分７ｂ，７ｂにわたる部分には、前記各セパレータ２，３表面との間の摩擦を強めるために、凹凸を形成すべく厚み方向に伸びる多数の溝条１０を形成する。前記大半径部分７ａ，７ａは、徐々に大径になっていて、セパレータ２，３の挿入時には径が小さい方（図３において半時計回り）へ回転してセパレータ２，３を所定長挿入し、引き抜き時には大半径部分７ａ，７ａがセパレータ２，３と接触してセパレータ２，３を挿通孔４の側壁へ圧接して固定する。すなわち、大半径部分７ａ，７ａは、セパレータ２，３の挿入時には挿入動作を阻害しない一方、セパレータ２，３の引き抜き時には挿通孔４の側壁にセパレータ２，３を押圧して引き抜き動作を阻止し得るよう構成されている。
【００１３】
このように構成した固定金具１は、図３に明示したように、回転軸６の摘み部６ｃ（図４参照）を摘んで、前記線条バネ８の付勢力に抗してコマ体７を、小半径部７ｂ，７ｂがセパレータ２，３に対応位置するよう図３において半時計回りに回転させてコマ体本体５の内壁を小半径部７ｂ，７ｂ方面間の各間隔を大きくした後、挿通孔４にセパレータ２，３先端をこれら間隔に矢印ｂ方向に挿入し、回転軸６の摘み部６ｃを放す。このように、回転軸６の摘み部６ｃを放してから、平行に伸びたセパレータ２，３他端が両コンクリート型枠１１ａ，１１ｂに当接するようセパレータ２，３を矢印ａ方向にそれぞれ伸ばして支持状態とする。すなわち、各セパレータ２，３は、矢印ｂ，ｂ方向に移動させようとしても、コマ体７の大半径部分７ａ，７ａにより側壁に押圧されて該移動（引き抜き動作）を阻止されるので、前記支持状態を維持しうるのである。また、コンクリート型枠１１ａ，１１ｂの支持にあたっては、図３において、セパレータ２，３端を固定金具１の挿通孔４に矢印ａ，ａ方向に各挿入し、該セパレータ２，３端がコンクリート型枠１１ａ，１１ｂに当接するまで伸ばしてもよい。
【００１４】
続いて、本発明の他の実施の形態を図５〜図７に基づいて説明する。ここにおいて、図５は斜視図、図６は使用状態図、図７はセパレータでコンクリート型枠を支持する状態における固定金具とセパレータとの位置状態を示す横断平面図である。
【００１５】
図５〜図７に示したように、固定金具５１は、２本のセパレータ５２，５３を所定の間隔をおくようその両側壁に沿って平行に挿通するための扁平な挿通孔５４を有する筒状本体５５と、前記各セパレータ５２，５３間に位置するよう前記挿通孔５４内の中央の前記筒状本体５５に回転可能に軸支された回転軸５６を有し、挿通孔５４の両側に沿って挿通された各セパレータ５２，５３に接触可能な大半径部分５７ａ，５７ａと、同じく接触不能な小半径部分５７ｂ，５７ｂを連続するよう形成した外周を有するコマ体５７とから構成するものである。
【００１６】
また図５に明示したように、前記固定金具５１には、コマ体５７の大半径部分５７ａ，５７ａが前記挿通孔４の両側壁に対する初期位置に復帰すよう回転付勢（図７において時計回りに付勢）する付勢部材たる線条バネ５８を、前記回転軸５６に設けている。この線条バネ５８は、前記回転軸５６の上端部分５６ａは、上方に突出されるとともに、横方向に透孔５６ｂが設けてある。また、回転軸５６の下端部分は、筒状本体５５の外部に突出し横方向に伸ばした後に、さらに下方に突出した摘み部（図示せず）を折曲して形成してある。そして、この回転軸５６の摘み部（図示せず）を摘んで、前記線条バネ５８の付勢力に抗してコマ体５７を、図７において半時計回りに回転させることが可能である。
【００１７】
前記筒状本体５５の挿通孔５４は、その厚み方向の間隔をセパレータ５２，５３の直径とほぼ同じか若干広く、また幅方向の長さを、筒状本体５５の両側壁に沿った部位にセパレータ５２，５３を挿通したとき所定の間隔が空くように、いわゆる扁平に形成してある。
【００１８】
図７に明示したように、前記コマ体５７は、挿通孔５４の両側壁に沿って挿通された各セパレータ５２，５３間に位置するように設けるもので、その外周には、前記大半径部分５７ａ、５７ａと小半径部分５７ｂ，５７ｂを連続するよう設け、大半径部分５７ａ，５７ａは、徐々に大径になっていて、セパレータ５２，５３の挿入時には径が小さい方（図７において半時計回り）へ回転してセパレータ５２，５３を所定長挿入し、引き抜き時には大半径部分５７ａ，５７ａがセパレータ５２，５３と接触してセパレータ５２，５３を挿通孔５４の側壁へ圧接して固定するのである。すなわち、大半径部分５７ａ，５７ａは、セパレータ５２，５３の挿入時には挿入動作を阻害しない一方、セパレータ５２，５３の引き抜き時には挿通孔５４の側壁にセパレータ５２，５３を押圧して引き抜き動作を阻止し得るよう構成されている。
【００１９】
このように構成した固定金具５１は、回転軸５６の摘み部（図示せず）を摘んで、前記線条バネ５８の付勢力に抗してコマ体５７を、小半径部５７ｂ，５７ｂがセパレータ５２，５３に対応位置するよう図７において半時計回りに回転させ、挿通孔５４にセパレータ５２，５３先端を矢印ｂ，ｂ方向に挿入し、回転軸５６の摘み部（図示せず）を摘んだ状態を解除した後、平行に伸びたセパレータ５２，５３他端が両コンクリート型枠６０ａ，６０ｂに当接するようセパレータ５２，５３を矢印ａ方向にそれぞれ伸ばして支持状態とする。すなわち、各セパレータ５２，５３は、矢印ｂ，ｂ方向に移動させようとしても、コマ体５７の大半径部分５７ａ，５７ａにより両側壁に押圧されて該移動（引き抜き動作）を阻止されるので、前記支持状態を維持しうるのである。また、コンクリート型枠６０ａ，６０ｂの支持にあたっては、図３において、セパレータ５２，５３端を固定金具５１の挿通孔５４に矢印ａ，ａ方向に各挿入し、該セパレータ５２，５３端がコンクリート型枠６０ａ，６０ｂに当接するまで伸ばしてもよい。
【００２０】
なお、本発明は、前記各実施の形態になんら限定されるものではなく、例えば、コマ体７，５７は、挿通孔４，５４の両側に沿って挿通された各セパレータ２，３，５２，５３に接触可能な大半径部分７ａ，７ａ，５７ａ，５７ａと接触不能な小半径部分７ｂ，７ｂ，５７ｂ，５７ｂを連続するよう形成した外周を設けたものであれば、各実施形態のものとは異なる形状であってもよい。また、付勢部材は、線条バネ８，５８ではなくゴム紐等を用いてもよい。このゴム紐の場合は、回転軸６，５６に横方向に伸びる突起を設け、この突起を引張するようにゴム紐を筒状本体５，５５に固定して構成する。
【００２１】
【発明の効果】
以上のように、請求項１に記載された本発明は、対向するコンクリート型枠等を支持する作業において、各コンクリート型枠間の対応するようセパレータの長さを簡単に調節可能なので、該作業を容易に行うことができるという効果を奏する。
【００２２】
また、請求項２に記載された本発明は、請求項１に記載された発明の効果に加えて、コマ体のセパレータに接触する大半径部分に凹凸を設けたので、滑りにくく、対向するコンクリート型枠等の支持が確実であるという効果を奏する。
【００２３】
また、請求項３に記載された本発明は、請求項２に記載された発明の効果に加えて、セパレータを挿通孔に挿し込み過ぎた時の調整を、摘み部を摘んでコマ体を回転して行うことができるという効果を奏する。
【図面の簡単な説明】
【図１】  斜視図。
【図２】  使用状態図。
【図３】  セパレータを挿通し始めた状態の横断平面図。
【図４】  図３のＡ−Ａ線断面図
【図５】  第２実施形態における斜視図。
【図６】  第２実施形態における使用状態図。
【図７】  第２実施形態におけるセパレータを挿通し終わった状態の横断平面図。
【図８】  従来例の斜視図。
【図９】  従来例の使用状態図。
【符号の説明】
１，５１  固定金具
２，３，５２，５３  セパレータ
４，５４  挿通孔
５，５５  筒状本体
６，５６  回転軸
６ｃ  摘み部
７，５７  コマ体
７ａ，５７ａ  大半径部分
７ｂ，５７ｂ  小半径部分
８，５８  線条バネ
９  固定穴
１１ａ，１１ｂ，６０ａ，６０ｂ
５９  固定溝
【図１】
0003880172.tif 000002
【図２】
0003880172.tif 000003
【図３】
0003880172.tif 000004
【図４】
0003880172.tif 000005
【図５】
0003880172.tif 000006
【図６】
0003880172.tif 000007
【図７】
0003880172.tif 000008
【図８】
0003880172.tif 000009
【図９】
0003880172.tif 000010